(57)【要約】  カップ体に連なる内蓋を含み、フリップ蓋が出水口を開放または密封するように回動軸周りに回動可能であり、回動軸にはフリップ蓋バネが設けられているカップ蓋において、前記フリップ蓋には係合口が設けられており、内蓋には前後に移動可能な上下のプラスチックリングが設けられており、上下のプラスチックリングにはそれぞれ係合フックが設けられており、係合フックが係合口に係止されるとフリップ蓋が閉止され、上下のプラスチックリングにおける係合フックがすべて係合口から離脱すると、フリップ蓋バネによってフリップ蓋が開放され、上下のプラスチックリングと内蓋との間には弾性復元部材が設けられており、上下のプラスチックリングにおける係合フックは係合口の両側に設けられ、フリップ蓋を開放する場合、上下のプラスチックリングは逆方向に移動する、ことを特徴とする。本発明のカップ蓋は片手によるカップ蓋の開放を容易に実現可能であるとともに、誤操作によるカップ蓋の開放を防止可能である。【選択図】図１
2016528941.tif 000002
【特許請求の範囲】
【請求項１】
カップ体に連なる内蓋を含み、フリップ蓋が出水口を開放または密封するように回動軸周りに回動可能であり、回動軸にはフリップ蓋バネが設けられているカップ蓋において、
前記フリップ蓋には係合口が設けられており、内蓋には前後に移動可能な上下のプラスチックリングが設けられており、上下のプラスチックリングにはそれぞれ係合フックが設けられており、
係合フックが係合口に係止されるとフリップ蓋が閉止され、上下のプラスチックリングにおける係合フックがすべて係合口から離脱すると、フリップ蓋バネによってフリップ蓋が開放され、上下のプラスチックリングと内蓋との間には弾性復元部材が設けられており、
上下のプラスチックリングにおける係合フックは係合口の両側に設けられ、フリップ蓋を開放する場合、上下のプラスチックリングは逆方向に移動する、ことを特徴とするカップ蓋。
【請求項２】
前記の係合口と係合フックの間には互いに連携する斜面が設けられていることを特徴とする請求項１に記載のカップ蓋。
【請求項３】
前記フリップ蓋内には押圧蓋が設けられており、押圧蓋には密封部材が設けられており、密封部材は出水口を密封する、ことを特徴とする請求項１に記載のカップ蓋。
【請求項４】
前記弾性復元部材は板バネであることを特徴とする請求項１に記載のカップ蓋。
【請求項５】
前記カップ蓋はさらにカバープレートを含み、カバープレートは内蓋に位置決めされ、内蓋とカバープレートは係合して上下のプラスチックリングを位置決めする、ことを特徴とする請求項１に記載のカップ蓋。
【請求項６】
前記回動軸は回動軸座に位置決めされ、回動軸座はカバープレートに設けられている、ことを特徴とする請求項５に記載のカップ蓋。
【発明の詳細な説明】
【技術分野】
【０００１】
本発明はカップ蓋に関する。
【背景技術】
【０００２】
現在、各種カップ蓋には様々な構造がある。例えば、特許文献１は「フリップ式直飲みカップ」を提示している。当該技術方案において、フリップ式直飲みカップはカップ体とカップ蓋を含み、カップ蓋の下蓋はカップ体に連なっており、下蓋にはカップ体の内壁を密封する内蓋が設けられている。フリップ蓋と下蓋との間には回動軸が設けられており、回動軸には復元バネが設けられている。内蓋には出水口が設けられており、フリップ蓋における押圧蓋は出水口を密封する。フリップ蓋にはラッチとラッチバネが設けられており、下蓋または内蓋にはラッチと係合する係合溝が設けられている。フリップ蓋にはつまみが設けられており、つまみにはカムが接続されている。カムの長端と短端は間欠的にラッチと接触可能である。使用に際して、カップは誤操作によるカップ蓋の開放を効果的に防止できる。しかし、上述の直飲みカップでは、カムの長端と短端を間欠的にラッチと接触させることでカップ蓋の開閉を制御していることから構造が複雑であり、蓋を開放する際に両手で操作する必要があるため使用に不便である。
【先行技術文献】
【特許文献】
【０００３】
【特許文献１】中国特許第２００７２０３０２８８０．３号
【発明の概要】
【０００４】
本発明は、片手で蓋を開放可能であり、使用に便利なカップ蓋を提供することを目的とする。
【０００５】
上記の目的を達成するために、本発明は以下の技術方案を用いる。
【０００６】
カップ体に連なる内蓋を含み、フリップ蓋が出水口を開放または密封するように回動軸周りに回動可能であり、回動軸にはフリップ蓋バネが設けられているカップ蓋において、前記フリップ蓋には係合口が設けられており、内蓋には前後に移動可能な上下のプラスチックリングが設けられており、上下のプラスチックリングにはそれぞれ係合フックが設けられており、係合フックが係合口に係止されるとフリップ蓋が閉止され、上下のプラスチックリングにおける係合フックがすべて係合口から離脱すると、フリップ蓋バネによってフリップ蓋が開放され、上下のプラスチックリングと内蓋との間には弾性復元部材が設けられており、上下のプラスチックリングにおける係合フックは係合口の両側に設けられ、フリップ蓋を開放する場合、上下のプラスチックリングは逆方向に移動する、ことを特徴とする。
【０００７】
本発明は、開放する場合には２本の指で上下のプラスチックリングをそれぞれ押動し、上下のプラスチックリングを逆方向に移動させれば、上下のプラスチックリングにおける係合フックが係合口から離脱して、フリップ蓋バネによりフリップ蓋が開放される、との点で有利である。指を放すと、上下のプラスチックリングは弾性復元部材により元の位置に復元する。閉止する場合にはフリップ蓋を押下すると、係合フックが係合口に係止されてフリップ蓋の閉止が実現される。本発明のカップ蓋は片手によるカップ蓋の開放を容易に実現可能である。上下のプラスチックリングにおける係合フックは係合口の両側に設けられており、一方の係合フックが係合口から離脱しない場合にはフリップ蓋は開放されない。よって、誤操作によるカップ蓋の開放を防止可能となる。さらには、構造が簡略化されており、使用に便利である。
【０００８】
本発明において、前記の係合口と係合フックの間には互いに連携する斜面が設けられている。これは、フリップ蓋を押下して閉止することに寄与する。
【０００９】
本発明において、前記フリップ蓋内には押圧蓋が設けられており、押圧蓋には密封部材が設けられており、密封部材は出水口を密封する。
【００１０】
本発明において、前記弾性復元部材は板バネである。これにより、上下のプラスチックリングが確実に復元されるとともに、構造が簡略化される。
【００１１】
本発明において、前記カップ蓋はさらにカバープレートを含み、カバープレートは内蓋に位置決めされ、内蓋とカバープレートは係合して上下のプラスチックリングを位置決めする。これにより、カップ蓋の構造が簡略化され、製造に便利となる。
【００１２】
本発明において、前記回動軸は回動軸座に位置決めされ、回動軸座はカバープレートに設けられている。これにより、カップ蓋の構造が簡略化され、製造に便利となる。
【図面の簡単な説明】
【００１３】
【図１】図１はカップ蓋における閉止時の断面図である。
【図２】図２はカップ蓋におけるやや開放時の断面図である。
【図３】図３はカップ蓋の部品の分解図である。
【発明を実施するための形態】
【００１４】
図１、図２および図３に示すように、本実施例のカップ蓋はカップ体に連なる内蓋１を含み、フリップ蓋２は出水口４を開放または密封するように回動軸３周りに回動可能であり、回動軸にはフリップ蓋バネ５が設けられている。フリップ蓋には係合口６が設けられており、内蓋には前後に移動可能な上下のプラスチックリング７，８が設けられており、上下のプラスチックリングにはそれぞれ係合フック９が設けられている。係合フック９が係合口６に係止されるとフリップ蓋は閉止される。上下のプラスチックリングにおける係合フック９がすべて係合口から離脱すると、フリップ蓋バネによってフリップ蓋が開放される。上下のプラスチックリングと内蓋との間には弾性復元部材が設けられており、弾性復元部材は板バネ１０である。上下のプラスチックリングにおける係合フック９は係合口６の両側に設けられ、フリップ蓋を開放する場合、上下のプラスチックリングは逆方向に移動する。
【００１５】
本実施例において、前記の係合口と係合フックの間には互いに連携する斜面１１，１２が設けられている。フリップ蓋内には押圧蓋１３が設けられており、押圧蓋には密封部材１４が設けられており、密封部材１４は出水口４を密封する。カップ蓋はさらにカバープレート１５を含み、カバープレート１５は内蓋１に位置決めされ、内蓋とカバープレートは係合して上下のプラスチックリングを位置決めする。回動軸３は回動軸座１６に位置決めされ、回動軸座１６はカバープレート１５に設けられている。
【００１６】
開放する場合には、２本の指で上下のプラスチックリングをそれぞれ押動し、上下のプラスチックリングを逆方向に移動させれば、上下のプラスチックリングにおける係合フックが係合口から離脱して、フリップ蓋バネによりフリップ蓋が開放される。指を放すと、上下のプラスチックリングは弾性復元部材により元の位置に復元する。閉止する場合にはフリップ蓋を押下すると、係合フックが係合口に係止されてフリップ蓋の閉止が実現される。本発明のカップ蓋は片手によるカップ蓋の開放を容易に実現可能である。上下のプラスチックリングにおける係合フックは係合口の両側に設けられており、一方の係合フックが係合口から離脱しない場合にはフリップ蓋は開放されない。よって、誤操作によるカップ蓋の開放を防止可能となる。さらには、構造が簡略化されており、使用に便利である。
【００１７】
以上の実施例は本発明の一例にすぎず、本発明の主旨に基づき行われる変更は、いずれも本発明の保護の範囲内であると解釈される。
【図１】
2016528941.tif 000003
【図２】
2016528941.tif 000004
【図３】
2016528941.tif 000005
【国際調査報告】
2016528941.tif 000006
2016528941.tif 000007
2016528941.tif 000008
2016528941.tif 000009
2016528941.tif 000010
2016528941.tif 000011